(57)【要約】  本発明の複数の実施形態は、トランスポートブロック再送信方法及び基地局を提供する。その方法においては、TBの始めのm回の再送信については、そのTBの最初の送信のための閉ループ空間多重化送信方式を維持し、そのTBの最後のN−m回の再送信については、送信モードを変化しない状態に維持しつつ、送信方式を開ループ送信方式へと変化させる。開ループ送信方式にしたがってそのTBを再送信すると、データ送信の信頼性を改善し、そのTBの再送信の数を減少させ、残余ブロック誤り率及び音声パケット損失率を減少させ、そして、閉ループ利得を効果的に取得することが可能であるということを保証することが可能である。
2019524006.tif 000002
【特許請求の範囲】
【請求項１】
トランスポートブロック再送信方法であって、
閉ループ空間多重化送信方式にしたがって、基地局によってユーザ機器UEにトランスポートブロックTBを最初に送信するステップと、
前記TBの最初の送信が失敗した場合に、前記TBの始めのm回の再送信について、前記閉ループ空間多重化送信方式にしたがって、前記基地局によって前記TBを再送信するステップであって、mは、0以上の整数である、ステップと、
前記TBの最後のN−m回の再送信について、前記閉ループ空間多重化送信方式が属する送信モードTMに含まれる開ループ送信方式にしたがって、前記基地局によって前記TBを再送信するステップと、を含み、Nは、前記TBの再送信の最大数であり、Nは、1以上の整数である、
方法。
【請求項２】
前記TMがTM4である場合に、前記閉ループ空間多重化送信方式及び前記開ループ送信方式は、ダウンリンク制御情報DCIフォーマット2によってサポートされる送信方式である、請求項1に記載の方法。
【請求項３】
当該方法は、
前記基地局によって、前記TBの前記最初の送信が不連続送信DTXを使用し、前記始めのm回の再送信の理由がDTXであるということを決定するステップと、
前記TBの最後のN−m回の再送信について、前記閉ループ空間多重化送信方式にしたがって、前記基地局によって前記TBを再送信するステップと、をさらに含む、請求項2に記載の方法。
【請求項４】
前記TMがTM5である場合に、前記閉ループ空間多重化送信方式は、ダウンリンク制御情報DCIフォーマット1Dによってサポートされる送信方式であり、前記開ループ送信方式は、DCIフォーマット1Aによってサポートされる送信方式である、請求項1に記載の方法。
【請求項５】
前記TMがTM6である場合に、前記閉ループ空間多重化送信方式は、ダウンリンク制御情報DCIフォーマット1Bによってサポートされる送信方式であり、前記開ループ送信方式は、DCIフォーマット1Aによってサポートされる送信方式である、請求項1に記載の方法。
【請求項６】
前記TMがTM8である場合に、前記閉ループ空間多重化送信方式及び前記開ループ送信方式は、ダウンリンク制御情報DCIフォーマット2Bによってサポートされる送信方式である、請求項1に記載の方法。
【請求項７】
前記TMがTM9である場合に、前記閉ループ空間多重化送信方式及び前記開ループ送信方式は、ダウンリンク制御情報DCIフォーマット2Cによってサポートされる送信方式である、請求項1に記載の方法。
【請求項８】
前記TMがTM10である場合に、前記閉ループ空間多重化送信方式及び前記開ループ送信方式は、ダウンリンク制御情報DCIフォーマット2Dによってサポートされる送信方式である、請求項1に記載の方法。
【請求項９】
mの値は2である、請求項1乃至8のうちのいずれか1項に記載の方法。
【請求項１０】
処理モジュールとトランシーバーモジュールとを含む基地局であって、
前記処理モジュールは、閉ループ空間多重化送信方式にしたがって、ユーザ機器UEにトランスポートブロックTBを最初に送信するように前記トランシーバーモジュールを制御する、ように構成され、
前記処理モジュールは、さらに、前記TBの最初の送信が失敗した場合に、前記TBの始めのm回の再送信について、前記閉ループ空間多重化送信方式にしたがって、前記TBを再送信するように前記トランシーバーモジュールを制御する、ように構成され、mは、0以上の整数であり、
前記TBの最後のN−m回の再送信について、前記閉ループ空間多重化送信方式が属する送信モードTMに含まれる開ループ送信方式にしたがって、前記TBを再送信し、Nは、前記TBの再送信の最大数であり、Nは、1以上の整数である、
基地局。
【請求項１１】
前記TMがTM4である場合に、前記閉ループ空間多重化送信方式及び前記開ループ送信方式は、ダウンリンク制御情報DCIフォーマット2によってサポートされる送信方式である、請求項10に記載の基地局。
【請求項１２】
前記処理モジュールは、さらに、
前記TBの前記最初の送信が不連続送信DTXを使用し、前記始めのm回の再送信の理由がDTXであるということを決定し、そして、
前記TBの最後のN−m回の再送信について、前記閉ループ空間多重化送信方式にしたがって前記TBを再送信するように前記トランシーバーモジュールを制御する、ように構成される、請求項11に記載の基地局。
【請求項１３】
前記TMがTM5である場合に、前記閉ループ空間多重化送信方式は、ダウンリンク制御情報DCIフォーマット1Dによってサポートされる送信方式であり、前記開ループ送信方式は、DCIフォーマット1Aによってサポートされる送信方式である、請求項10に記載の基地局。
【請求項１４】
前記TMがTM6である場合に、前記閉ループ空間多重化送信方式は、ダウンリンク制御情報DCIフォーマット1Bによってサポートされる送信方式であり、前記開ループ送信方式は、DCIフォーマット1Aによってサポートされる送信方式である、請求項10に記載の基地局。
【請求項１５】
前記TMがTM8である場合に、前記閉ループ空間多重化送信方式及び前記開ループ送信方式は、ダウンリンク制御情報DCIフォーマット2Bによってサポートされる送信方式である、請求項10に記載の基地局。
【請求項１６】
前記TMがTM9である場合に、前記閉ループ空間多重化送信方式及び前記開ループ送信方式は、ダウンリンク制御情報DCIフォーマット2Cによってサポートされる送信方式である、請求項10に記載の基地局。
【請求項１７】
前記TMがTM10である場合に、前記閉ループ空間多重化送信方式及び前記開ループ送信方式は、ダウンリンク制御情報DCIフォーマット2Dによってサポートされる送信方式である、請求項10に記載の基地局。
【請求項１８】
mの値は2である、請求項10乃至17のうちのいずれか1項に記載の基地局。
【請求項１９】
プロセッサとトランシーバーとを含む基地局であって、
前記プロセッサは、閉ループ空間多重化送信方式にしたがって、ユーザ機器UEにトランスポートブロックTBを最初に送信するように前記トランシーバーを制御する、ように構成され、
前記プロセッサは、さらに、前記TBの最初の送信が失敗した場合に、前記TBの始めのm回の再送信について、前記閉ループ空間多重化送信方式にしたがって、前記TBを再送信するように前記トランシーバーを制御する、ように構成され、mは、0以上の整数であり、
前記TBの最後のN−m回の再送信について、前記閉ループ空間多重化送信方式が属する送信モードTMに含まれる開ループ送信方式にしたがって、前記TBを再送信し、Nは、前記TBの再送信の最大数であり、Nは、1以上の整数である、
基地局。
【発明の詳細な説明】
【技術分野】
【０００１】
本発明の複数の実施形態は、無線技術、特に、トランスポートブロック再送信方法及び基地局に関する。
【背景技術】
【０００２】
多入力多出力(Multiple-Input  Multiple-Output,  略称、MIMO)技術は、それぞれ、送信端において複数の送信アンテナを使用し、受信端において複数の受信アンテナを使用することを可能にし、それぞれ、送信端において複数のアンテナを使用することによって信号を送信し、受信端において複数のアンテナを使用することによって信号を受信する。MIMO技術は、主に、あるチャネルの容量及び信頼性を改善するのに使用される。
【０００３】
複数の異なるMIMO送信モード(transmission  mode,  略称、TM)が、ロングタームエボリューション(Long  Term  Evolution,  略称、LTE)システムのために定義されている。基地局は、RRCシグナリングを使用することによって、現在の物理ダウンリンク共有チャネル(Physical  Downlink  Shared  Channel,  略称、PDSCH)のために使用される送信モード及び関連する構成パラメータを端末に知らせて、その端末は、対応する信号処理及び受信を実行する。現在のところ、TM1からTM10までの合計で10個の送信モード(Transmission  Mode,  略称、TM)が、LTEシステムのために定義されている。MIMO技術は、主に、空間多重化技術及び空間ダイバーシティ技術に分類される。空間多重化は、さらに、開ループ空間多重化及び閉ループ空間多重化に分類される。閉ループ空間多重化と開ループ空間多重化との間の主たる相違点は、閉ループ空間多重化においては、端末は、プリコーディング行列インジケータ(precoding  matrix  indicator,  略称、PMI)情報をフィードバックする必要があるということにある。閉ループ空間多重化は、TM4、TM6、TM8、TM9、及びTM10にしたがって使用され、開ループ空間多重化は、TM3にしたがって使用される。データ送信のために閉ループ空間多重化を使用する場合には、誤ったPMIが報告される場合があり、その誤ったPMIは、残余ブロック誤り率の増加及びパケット損失率の増加等の一連の問題を引き起こす。結果として、ネットワークパフォーマンスは低下する。
【発明の概要】
【０００４】
本発明の複数の実施形態は、トランスポートブロック再送信方法及び基地局を提供して、残余ブロック誤り率及びパケット損失率を減少させるとともに、閉ループ利得を効果的に取得することが可能であるということを保証する。
【０００５】
本発明の第1の態様は、トランスポートブロック再送信方法であって、当該方法は、閉ループ空間多重化送信方式にしたがって、基地局によってユーザ機器(User  Equipment,  略称、UE)にトランスポートブロック(transmission  block,  略称、TB)を最初に送信するステップと、前記TBの最初の送信が失敗した場合に、前記TBの始めのm回の再送信について、前記閉ループ空間多重化送信方式にしたがって、前記基地局によって前記TBを再送信するステップと、前記TBの最後のN−m回の再送信について、前記閉ループ空間多重化送信方式が属する送信モードTMに含まれる開ループ送信方式にしたがって、前記基地局によって前記TBを再送信するステップと、を含み、mは、0以上の整数であり、Nは、前記TBの再送信の最大数であり、Nは、1以上の整数である、トランスポートブロック再送信方法を提供する。
【０００６】
本発明の第2の態様は、処理モジュールとトランシーバーモジュールとを含む基地局であって、前記処理モジュールは、閉ループ空間多重化送信方式にしたがって、UEにトランスポートブロックTBを最初に送信するように前記トランシーバーモジュールを制御する、ように構成され、前記処理モジュールは、さらに、前記TBの最初の送信が失敗した場合に、前記TBの始めのm回の再送信について、前記閉ループ空間多重化送信方式にしたがって、前記TBを再送信するように前記トランシーバーモジュールを制御する、ように構成され、前記TBの最後のN−m回の再送信について、前記閉ループ空間多重化送信方式が属する送信モードTMに含まれる開ループ送信方式にしたがって、前記TBを再送信し、mは、0以上の整数であり、Nは、前記TBの再送信の最大数であり、Nは、1以上の整数である、基地局を提供する。
【０００７】
選択的に、前記TMがTM4である場合に、前記閉ループ空間多重化送信方式及び前記開ループ送信方式は、DCIフォーマット2によってサポートされる送信方式である。
【０００８】
選択的に、前記TMがTM5である場合に、前記閉ループ空間多重化送信方式は、DCIフォーマット1Dによってサポートされる送信方式であり、前記開ループ送信方式は、DCIフォーマット1Aによってサポートされる送信方式である。
【０００９】
選択的に、前記TMがTM6である場合に、前記閉ループ空間多重化送信方式は、DCIフォーマット1Bによってサポートされる送信方式であり、前記開ループ送信方式は、DCIフォーマット1Aによってサポートされる送信方式である。
【００１０】
選択的に、前記TMがTM8である場合に、前記閉ループ空間多重化送信方式及び前記開ループ送信方式は、DCIフォーマット2Bによってサポートされる送信方式である。
【００１１】
選択的に、前記TMがTM9である場合に、前記閉ループ空間多重化送信方式及び前記開ループ送信方式は、DCIフォーマット2Cによってサポートされる送信方式である。
【００１２】
選択的に、前記TMがTM10である場合に、前記閉ループ空間多重化送信方式及び前記開ループ送信方式は、DCIフォーマット2Dによってサポートされる送信方式である。
【００１３】
本発明の複数の実施形態にしたがって提供されるトランスポートブロック再送信方法及び基地局によれば、TBの始めのm回の再送信については、そのTBの最初の送信のために使用される閉ループ空間多重化送信方式を維持し、そのTBの最後のN−m回の再送信については、送信モードを変化しない状態に維持しつつ、送信方式を開ループ送信方式へと変化させる。開ループ送信方式にしたがってそのTBを再送信すると、データ送信の信頼性を改善し、そのTBの再送信の数を減少させ、残余ブロック誤り率及び音声パケット損失率を減少させ、そして、閉ループ利得を効果的に取得することが可能であるということを保証することが可能である。
【図面の簡単な説明】
【００１４】
本発明の複数の実施形態又は従来技術にしたがった複数の技術的解決方法をより明確に説明するために、以下の記載は、それらの複数の実施形態又は従来技術を説明するのに必要となる複数の添付の図面を簡潔に説明する。明らかなことではあるが、以下の説明の中の複数の添付の図面は、本発明の複数の実施形態のうちのいくつかを示し、当業者は、創造的な努力なくして、これらの複数の添付の図面から他の図面を導き出すことが可能である。
【００１５】
【図１】本発明の実施形態1にしたがったトランスポートブロック再送信方法である。
【図２】TM4にしたがったTB送信の概略図である。
【図３】TM5にしたがったTB送信の概略図である。
【図４】TM6にしたがったTB送信の概略図である。
【図５】TM8/TM9/TM10にしたがったTB送信の概略図である。
【図６】本発明の実施形態2にしたがった基地局の概略的な構成図である。
【図７】本発明の実施形態3にしたがった基地局の概略的な構成図である。
【発明を実施するための形態】
【００１６】
本発明の複数の実施形態の目的、技術的解決方法、及び利点をより明確にするために、以下の記載は、本発明の複数の実施形態にしたがった複数の添付の図面を参照して、本発明の複数の実施形態にしたがった複数の技術的解決方法をより明確に説明する。明らかなことではあるが、それらの説明される実施形態は、本発明の実施形態のすべてではなく一部である。創造的な努力なくして本発明の複数の実施形態に基づいて当業者が得ることが可能であるすべての他の実施形態は、本発明の保護範囲に属するものとする。
【００１７】
本発明の複数の実施形態にしたがった方法をMIMOシステムに適用する。MIMOシステムにおいては、送信端及び受信端において、それぞれ、複数の送信アンテナ及び複数の受信アンテナを使用する。送信端は、送信されるべきデータ信号を送信のために複数のアンテナにマッピングし、受信端は、複数のアンテナが受信した信号を処理する。MIMO技術は、主に、空間多重化技術及び空間ダイバーシティ技術の2つのタイプに分類される。空間多重化技術においては、ある空間的な次元の中の同じ時間周波数リソースによって複数の異なる信号を送信し、空間的な特徴を使用することによって、受信端においてそれらの複数の異なる信号を判別する。このことは、"マルチストリーム"送信を実装し、したがって、単位時間あたりの及び単位周波数あたりの送信レートを改善する。空間ダイバーシティ技術においては、同じ信号を送信するのに、複数のアンテナが提供する複数の異なる送信経路を使用し、主に、無線リンクの信頼性を改善するのに空間ダイバーシティ技術を使用する。空間多重化は、さらに、開ループ空間多重化(Open-loop  spatial  multiplexing)及び閉ループ空間多重化(Closed-loop  spatial  multiplexing)に分類される。空間ダイバーシティ技術においては、送信端において開ループ送信方式を使用する。開ループ送信方式は、送信ダイバーシティ(transmit  diversity)及び単一ポートの送信(single-antenna  port)を含む。
【００１８】
説明を容易にするため、以下の記載では、1つの例としてダウンリンクMIMOを使用する。基地局は、チャネル特性に基づいて複数の異なるTMを選択し、そのチャネル特性は、チャネルの受信信号品質及びそのチャネルの空間的な相関を含む。各々のTMは、異なるダウンリンク制御情報(Downlink  Control  Information,  略称、DCI)フォーマットを使用し、複数の異なるDCIフォーマット(DCI  format)は、複数の異なる送信方式をサポートし、そして、同じDCIフォーマットは、1つのみの送信方式をサポートしてもよく、或いは、複数の送信方式をサポートしてもよい。
【００１９】
図1は、本発明の実施形態1にしたがったトランスポートブロック再送信方法である。図1に示されているように、この実施形態にしたがったその方法は、以下のステップを含んでもよい。
【００２０】
ステップ101:  基地局は、閉ループ空間多重化送信方式にしたがって、UEにTBを最初に送信する。
【００２１】
ステップ102:  TBの最初の送信が失敗した場合に、基地局は、そのTBの始めのm回の再送信について、閉ループ空間多重化送信方式にしたがって、そのTBを再送信し、mは、0以上の整数である。
【００２２】
ステップ103:  そのTBの最後のN−m回の再送信について、基地局は、閉ループ空間多重化送信方式が属するTMに含まれる開ループ送信方式にしたがって、そのTBを再送信し、Nは、そのTBの再送信の最大数であり、Nは、1以上の整数である。
【００２３】
これらには限定されないが、TM4、TM5、TM6、TM8、TM9、及びTM10を含む以下のTMにこの実施形態にしたがった方法を適用してもよい。表1は、各々のTMの関連する構成パラメータを列記しており、各々のTMのそれらのパラメータは、サポートされるDCIフォーマット及びサポートされる送信方式を含む。
【表１】
2019524006.tif 000003
【００２４】
表1から、閉ループ空間多重化送信方式は、TM4のDCIフォーマット2によってサポートされる閉ループ空間多重化送信方式、TM5のDCIフォーマット1Dによってサポートされる閉ループ空間多重化送信方式、TM6のDCIフォーマット1Bによってサポートされる閉ループ空間多重化送信方式、TM8のDCIフォーマット2Bによってサポートされる2つの層による送信(Dual  layer  transmission)、TM9のDCIフォーマット2Cによってサポートされる最大8つの層の送信、及びTN10のDCIフォーマット2Dによってサポートされる閉ループ空間多重化送信方式、を含むということを理解することが可能である。
【００２５】
閉ループ空間多重化送信方式を使用する目的は、チャネル容量を改善することである。閉ループ空間多重化送信方式は、通常、比較的良好なチャネル条件を有するシナリオに適用することが可能である。この実施形態においては、TBの始めのm回の再送信がすべて失敗した場合には、PMIビームが間違った方向を指向している可能性が極めて高い。この状況で、従来技術の方法を使用する場合には、そのTBは、そのTBの最後のN−m回の再送信についても、依然として、閉ループ空間多重化送信方式にしたがって再送信され、そのTBの再送信の失敗の確率は、依然として、極めて高いままである。結果として、再送信の失敗が複数回にわたる場合には、より大きな残余ブロック誤り率及びより大きなパケット損失率を引き起こす。その残余ブロック誤り率は、ある測定期間においてTBブロックのダウンリンク再送信が失敗したTBブロックの割合を示すのに使用される。ある1つの特定の計算式は、(残余ブロック誤り率)＝(ダウンリンクTBブロックのうちで残余ブロック誤りを有するパケットの合計数)/(ダウンリンクTBブロックの合計数)となる。
【００２６】
この実施形態においては、基地局は、そのTBの最後のN−m回の再送信について、開ループ送信方式にしたがってそのTBを再送信する。その開ループ送信方式は、基地局がそのTBの最初の送信のために使用した閉ループ空間多重化送信方式が属している送信モードTMに含まれる送信方式である。そのTBの最後のN−m回の再送信について開ループ送信方式を使用すると、そのTBの送信の信頼性を改善し、送信の成功確率を増加させ、そして、再送信の数を減少させることが可能となる。
【００２７】
具体的には、TM4の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、TM4のDCIフォーマット2によってサポートされる送信方式であってもよく、或いは、TM4のDCIフォーマット1Aによってサポートされる送信方式であってもよい。その開ループ送信方式が、DCIフォーマット2によってサポートされる送信ダイバーシティ方式である場合には、そのTBの最後のN−m回の再送信の間、TM及びDCIフォーマットの双方が、変化しない状態に維持される。TM及びDCIフォーマットの双方が変化しない状態に維持されるので、TMの切り替えが引き起こすシグナリングオーバーヘッド及び遅延の問題を低減し、そして、閉ループ利得の効率的な取得を保証することが可能である。開ループ送信方式が、DCIフォーマット1Aによってサポートされる送信ダイバーシティ方式である場合には、そのTBの最後のN−m回の再送信について、TMは、変化しない状態に維持されるが、一方で、DCIフォーマットを修正する必要があり、DCIフォーマット2からDCIフォーマット1AへとそのDCIフォーマットを変化させる。TMを修正することによって送信方式を変化させる場合と比較して、TMが同じ状況で、DCIフォーマットを修正することによって送信方式を変化させる場合には、TMの切り替えが引き起こすシグナリングオーバーヘッド及び遅延の問題を低減し、閉ループ利得の効率的な取得を保証することが可能である。
【００２８】
図2は、TM4にしたがったTB送信の概略図である、図2に示されている1つの例において、mの値は2であり、具体的には、TBの始めの2回の再送信について、閉ループ空間多重化送信方式を使用し、3番目の再送信から最後の再送信まで、DCIフォーマット2によってサポートされる送信ダイバーシティ方式を使用し、そのDCIフォーマットは、再送信プロセスにおいて、変化しない状態に維持される。再送信の最大数Nの値は、8であってもよく、或いは、8よりも小さな整数であってよく、基地局は、必要に応じて、再送信の最大数の値を構成してもよい。通常は、再送信の最大数の値は4である。再送信の最大数が4である場合に、mの値は、好ましくは2である。
【００２９】
TM4の場合に、TBの再送信の原因は、ハイブリッド自動再送要求(hybrid  automatic  repeat  request,  略称、HARQ)メカニズムであってもよく、或いは、不連続送信(discontinuous  transmission,  略称、DTX)メカニズムであってもよい。HARQメカニズムについて、UEが、最初に送信されたTBの正確な受信に失敗した場合に、そのUEは、基地局に否定応答NACKをフィードバックし、その基地局は、NACKを受信した後に、そのTBを再送信する。再送信されたTBについて、UEは、依然として、そのTBの正確な受信に失敗する場合があり、そのUEは、その基地局への否定応答NACKのフィードバックを継続し、そして、その基地局は、再送信の最大数Nに達するまで、そのTBの再送信を継続する。DTXについて、そのUEがDTXを使用する場合には、エネルギー節約状態にあるそのUEは、適時的な方法で起動することが不可能であるので、同様にして、そのUEは、基地局が送信したTBを正確に受信することはできず、その結果、基地局が、そのTBを再送信する可能性がある。この実施形態においては、HARQ又はDTXが原因となってTBの再送信の失敗が引き起こされたか否かにかかわらず、基地局は、そのTBの始めのm回の再送信のすべてについて、閉ループ空間多重化送信方式を使用して、そのTBを再送信してもよい。具体的には、そのTBの始めのm回の再送信のための送信方式は、そのTBの最初の送信に使用した送信方式と同じ送信方式のままであってもよい。選択的に、基地局は、さらに、そのTBの始めのm回の再送信の原因を決定してもよい。基地局が、そのTBの最初の送信のためにDTXが使用され、DTXが始めのm回の再送信の原因となっているということを決定する場合に、その基地局は、そのTBの最後のN−m回の再送信について、依然として、閉ループ空間多重化送信方式にしたがってそのTBを再送信する、すなわち、そのTBの最後のN−m回の再送信のための送信方式は、そのTBの最初の送信に使用した送信方式と同じ送信方式のままである。
【００３０】
TM5の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、DCIフォーマット1Aによってサポートされる送信方式であってもよい。その開ループ送信方式が、DCIフォーマット1Aによってサポートされる送信ダイバーシティ方式である場合には、そのTBの最後のN−m回の再送信について、TMは、変化しない状態に維持されるが、一方で、DCIフォーマットを修正する必要があり、DCIフォーマット1DからDCIフォーマット1AへとそのDCIフォーマットを変化させる。TMを修正することによって送信方式を変化させる場合と比較して、TMが同じ状況で、DCIフォーマットを修正することによって送信方式を変化させる場合には、TMの切り替えが引き起こすシグナリングオーバーヘッド及び遅延の問題を低減し、閉ループ利得の効率的な取得を保証することが可能である。
【００３１】
図3は、TM5にしたがったTBの送信の概略図である。そのTBの始めの2回の再送信のために閉ループ空間多重化送信方式を使用し、DCIフォーマットは、DCIフォーマット1Dである。3番目の再送信から最後の再送信まで送信ダイバーシティ方式を使用し、その3番目の再送信から、DCIフォーマットをDCIフォーマット1Aへと変化させる。
【００３２】
TM6の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、TM6のDCIフォーマット1Aによってサポートされる送信ダイバーシティ方式であってもよい。そのTBの最後のN−m回の再送信について、TMは、変化しない状態に維持されるが、一方で、DCIフォーマットを修正する必要があり、DCIフォーマット1BからDCIフォーマット1AへとそのDCIフォーマットを変化させる。TMを修正することによって送信方式を変化させる場合と比較して、TMが同じ状況で、DCIフォーマットを修正することによって送信方式を変化させる場合には、TMの切り替えが引き起こすシグナリングオーバーヘッド及び遅延の問題を低減し、閉ループ利得の効率的な取得を保証することが可能である。
【００３３】
図4は、TM6にしたがったTBの送信の概略図である。そのTBの始めの2回の再送信のために閉ループ空間多重化送信方式を使用し、DCIフォーマットは、DCIフォーマット1Bである。3番目の再送信から最後の再送信まで送信ダイバーシティ方式を使用し、その3番目の再送信から、DCIフォーマットをDCIフォーマット1Aへと変化させる。
【００３４】
TM8の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、TM8のDCIフォーマット2Bによってサポートされる送信方式であってもよく、或いは、TM8のDCIフォーマット1Aによってサポートされる送信方式であってもよい。その開ループ送信方式が、DCIフォーマット2Bによってサポートされる単一ポートの送信方式である場合には、そのTBの最後のN−m回の再送信の間、TM及びDCIフォーマットの双方が、変化しない状態に維持される。TM及びDCIフォーマットの双方が変化しない状態に維持されるので、TMの切り替えが引き起こすシグナリングオーバーヘッド及び遅延の問題を低減し、そして、閉ループ利得の効率的な取得を保証することが可能である。DCIフォーマット2Bによってサポートされる単一ポートの送信方式にしたがった送信のために、ポート7及びポート8を使用する。選択的に、開ループ送信方式が、DCIフォーマット1Aによってサポートされる単一ポートの送信方式又は送信ダイバーシティ方式である場合には、そのTBの最後のN−m回の再送信について、TMは、変化しない状態に維持されるが、一方で、DCIフォーマットを修正する必要があり、DCIフォーマット2BからDCIフォーマット1AへとそのDCIフォーマットを変化させる。具体的には、物理ブロードキャストチャネル(Physical  Broadcast  Channel,  略称、PBCH)の数が1である場合には、DCIフォーマット1Aによってサポートされる単一ポートの送信方式を使用し、送信のために、ポート0を使用する。他の場合には、DCIフォーマット1Aによってサポートされる送信ダイバーシティ方式を使用する。TMを修正することによって送信方式を変化させる場合と比較して、TMが同じ状況で、DCIフォーマットを修正することによって送信方式を変化させる場合には、TMの切り替えが引き起こすシグナリングオーバーヘッド及び遅延の問題を低減し、閉ループ利得の効率的な取得を保証することが可能である。
【００３５】
TM9の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、DCIフォーマット2Cによってサポートされる送信方式であってもよく、或いは、DCIフォーマット1Aによってサポートされる単一ポートの送信方式又は送信ダイバーシティ方式であってもよい。その開ループ送信方式が、DCIフォーマット2Cによってサポートされる単一ポートの送信方式である場合には、そのTBの最後のN−m回の再送信の間、TM及びDCIフォーマットの双方が、変化しない状態に維持される。TM及びDCIフォーマットの双方が変化しない状態に維持されるので、TMの切り替えが引き起こすシグナリングオーバーヘッド及び遅延の問題を低減し、そして、閉ループ利得の効率的な取得を保証することが可能である。DCIフォーマット2Cによってサポートされる単一ポートの送信方式にしたがった送信のために、ポート7及びポート8を使用する。その開ループ送信方式が、DCIフォーマット1Aによってサポートされる単一ポートの送信方式又は送信ダイバーシティ方式である場合には、そのTBの最後のN−m回の再送信について、TMは、変化しない状態に維持されるが、一方で、DCIフォーマットを修正する必要があり、DCIフォーマット2BからDCIフォーマット1AへとそのDCIフォーマットを変化させる。具体的には、非MBSFNサブフレームの場合に、PBCHの数が1である場合には、DCIフォーマット1Aによってサポートされる単一ポートの送信方式を使用し、送信のために、ポート0を使用する。他の場合には、DCIフォーマット1Aによってサポートされる送信ダイバーシティ方式を使用する。MBSFNサブフレームの場合に、DCIフォーマット1Aによってサポートされる単一ポートの送信方式にしたがった送信のためにポート7及びポート8を使用する。TMを修正することによって送信方式を変化させる場合と比較して、TMが同じ状況で、DCIフォーマットを修正することによって送信方式を変化させる場合には、TMの切り替えが引き起こすシグナリングオーバーヘッド及び遅延の問題を低減し、閉ループ利得の効率的な取得を保証することが可能である。
【００３６】
TM10の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、DCIフォーマット2Dによってサポートされる送信方式であってもよく、或いは、DCIフォーマット1Aによってサポートされる単一ポートの送信方式又は送信ダイバーシティ方式であってもよい。その開ループ送信方式が、DCIフォーマット2Dによってサポートされる単一ポートの送信方式である場合には、そのTBの最後のN−m回の再送信の間、TM及びDCIフォーマットの双方が、変化しない状態に維持される。TM及びDCIフォーマットの双方が変化しない状態に維持されるので、TMの切り替えが引き起こすシグナリングオーバーヘッド及び遅延の問題を低減し、そして、閉ループ利得の効率的な取得を保証することが可能である。DCIフォーマット2Dによってサポートされる単一ポートの送信方式にしたがった送信のために、ポート7及びポート8を使用する。その開ループ送信方式が、DCIフォーマット1Aによってサポートされる単一ポートの送信方式又は送信ダイバーシティ方式である場合には、そのTBの最後のN−m回の再送信について、TMは、変化しない状態に維持されるが、一方で、DCIフォーマットを修正する必要があり、DCIフォーマット2DからDCIフォーマット1AへとそのDCIフォーマットを変化させる。具体的には、非MBSFNサブフレームの場合に、PBCHの数が1である場合には、DCIフォーマット1Aによってサポートされる単一ポートの送信方式を使用し、送信のために、ポート0を使用する。他の場合には、DCIフォーマット1Aによってサポートされる送信ダイバーシティ方式を使用する。MBSFNサブフレームの場合に、DCIフォーマット1Aによってサポートされる単一ポートの送信方式にしたがった送信のためにポート7及びポート8を使用する。TMが変化しない状態に維持されるので、閉ループ利得の効率的な取得を保証することが可能である。
【００３７】
図5は、TM8/TM9/TN10にしたがったTB送信の概略図である。TM8/TM9/TM10においては、TBの始めの2回の再送信のために閉ループ空間多重化送信方式を使用し、3番目の再送信から最後の再送信まで単一ポートの送信方式を使用し、DCIフォーマットは、再送信プロセスの過程で変化しない状態に維持される。
【００３８】
この実施形態にしたがって提供される方法によれば、TBの始めのm回の再送信については、そのTBの最初の送信のために使用される閉ループ空間多重化送信方式を維持し、そのTBの最後のN−m回の再送信については、送信モードを変化しない状態に維持しつつ、送信方式を開ループ送信方式へと変化させる。開ループ送信方式にしたがってそのTBを再送信すると、データ送信の信頼性を改善し、そのTBの再送信の数を減少させ、残余ブロック誤り率及び音声パケット損失率を減少させることが可能である。加えて、送信モードは変化せず、それにより、閉ループ利得を効果的に取得することが可能であるということを保証する。
【００３９】
図6は、本発明の実施形態2にしたがった基地局の概略的な構成図である。図6に示されているように、この実施形態にしたがって提供される基地局は、処理モジュール11とトランシーバーモジュール12とを含む。
【００４０】
処理モジュール11は、閉ループ空間多重化送信方式にしたがって、UEにTBを最初に送信するようにトランシーバーモジュール12を制御する、ように構成される。
【００４１】
処理モジュール11は、さらに、TBの最初の送信が失敗した場合に、そのTBの始めのm回の再送信について、閉ループ空間多重化送信方式にしたがって、そのTBを再送信するようにトランシーバーモジュール12を制御し、そして、そのTBの最後のN−m回の再送信について、閉ループ空間多重化送信方式が属する送信モードTMに含まれる開ループ送信方式にしたがって、そのTBを再送信する、ように構成され、Nは、TBの再送信の最大数であり、mは、0以上の整数であり、Nは、1以上の整数である。選択的に、mの値は、2である。
【００４２】
選択的に、TMがTM4である場合に、閉ループ空間多重化送信方式及び開ループ送信方式は、DCIフォーマット2によってサポートされる送信方式である。選択的に、処理モジュール11は、さらに、TBの最初の送信がDTXを使用し、始めのm回の再送信の理由がDTXであるということを決定し、そして、TBの最後のN−m回の再送信について、閉ループ空間多重化送信方式にしたがってTBを再送信するようにトランシーバーモジュール12を制御する、ように構成される。
【００４３】
選択的に、TMがTM5である場合に、閉ループ空間多重化送信方式は、DCIフォーマット1Dによってサポートされる送信方式であり、開ループ送信方式は、DCIフォーマット1Aによってサポートされる送信方式である。
【００４４】
選択的に、TMがTM6である場合に、閉ループ空間多重化送信方式は、DCIフォーマット1Bによってサポートされる送信方式であり、開ループ送信方式は、DCIフォーマット1Aによってサポートされる送信方式である。
【００４５】
選択的に、TMがTM8である場合に、閉ループ空間多重化送信方式及び開ループ送信方式は、DCIフォーマット2Bによってサポートされる送信方式である。
【００４６】
選択的に、TMがTM9である場合に、閉ループ空間多重化送信方式及び開ループ送信方式は、DCIフォーマット2Cによってサポートされる送信方式である。
【００４７】
選択的に、TMがTM10である場合に、閉ループ空間多重化送信方式及び開ループ送信方式は、DCIフォーマット2Dによってサポートされる送信方式である。
【００４８】
この実施形態にしたがった基地局によれば、その基地局の複数の機能モジュールは、上記の実施形態1にしたがった方法を実装するように構成されてもよい。その基地局の特定の実装及び技術的効果は同様であり、本明細書においては、詳細は繰り返して説明されない。
【００４９】
図7は、本発明の実施形態3にしたがった基地局の概略的な構成図である。図6に示されているように、この実施形態にしたがって提供される基地局は、プロセッサ21とトランシーバー22とを含む。プロセッサ21及びトランシーバー22は、バスを使用することによって接続される。
【００５０】
プロセッサ21は、閉ループ空間多重化送信方式にしたがって、UEにTBを最初に送信するようにトランシーバー22を制御する、ように構成される。
【００５１】
プロセッサ21は、さらに、TBの最初の送信が失敗した場合に、そのTBの始めのm回の再送信について、閉ループ空間多重化送信方式にしたがって、TBを再送信するようにトランシーバー22を制御し、そして、そのTBの最後のN−m回の再送信について、閉ループ空間多重化送信方式が属するTMに含まれる開ループ送信方式にしたがって、そのTBを再送信する、ように構成され、Nは、そのTBの再送信の最大数であり、Nは、1以上の整数であり、mは、0以上の整数である。選択的に、mの値は2である。
【００５２】
選択的に、TMがTM4である場合に、閉ループ空間多重化送信方式及び開ループ送信方式は、DCIフォーマット2によってサポートされる送信方式である。選択的に、プロセッサ21は、さらに、TBの最初の送信が不連続送信DTXを使用し、始めのm回の再送信の理由がDTXであるということを決定し、そして、そのTBの最後のN−m回の再送信について、閉ループ空間多重化送信方式にしたがってTBを再送信するようにトランシーバー22を制御する、ように構成される。
【００５３】
選択的に、TMがTM5である場合に、閉ループ空間多重化送信方式は、DCIフォーマット1Dによってサポートされる送信方式であり、開ループ送信方式は、DCIフォーマット1Aによってサポートされる送信方式である。
【００５４】
選択的に、TMがTM6である場合に、閉ループ空間多重化送信方式は、DCIフォーマット1Bによってサポートされる送信方式であり、開ループ送信方式は、DCIフォーマット1Aによってサポートされる送信方式である。
【００５５】
選択的に、TMがTM8である場合に、閉ループ空間多重化送信方式及び開ループ送信方式は、DCIフォーマット2Bによってサポートされる送信方式である。
【００５６】
選択的に、TMがTM9である場合に、閉ループ空間多重化送信方式及び開ループ送信方式は、DCIフォーマット2Cによってサポートされる送信方式である。
【００５７】
選択的に、TMがTM10である場合に、閉ループ空間多重化送信方式及び開ループ送信方式は、DCIフォーマット2Dによってサポートされる送信方式である。
【００５８】
この実施形態にしたがった基地局は、実施形態1にしたがった方法を実行するように構成されてもよい。その基地局の特定の実装及び技術的効果は同様であり、本明細書においては、詳細は繰り返して説明されない。
【００５９】
上記の複数の実施形態は、1つの例としてダウンリンクMIMOを使用することによって説明されている。本発明の複数の解決方法をアップリンクMIMOにも適用してもよい。具体的には、基地局にあるTBを送る際に、UEは、上記の複数の実施形態にしたがった方法を使用することによってそのTBを再送信してもよい。その特定の実装及び技術的効果は同様であり、本明細書においては、詳細は繰り返して説明されない。
【００６０】
加えて、本発明の複数の実施形態にしたがったユーザ機器は、無線端末であってもよい。その無線端末は、ユーザに音声及び/又はデータの接続性を提供するデバイス、無線接続機能を有するハンドヘルドデバイス、又は無線モデムに接続される他の処理デバイスであってもよい。その無線端末は、無線アクセスネットワーク(Radio  Access  Network,  RAN)を使用することによって、少なくとも1つのコアネットワークとの間で通信してもよい。その無線端末は、例えば、("セルラ"フォンとも称される)モバイル電話等のモバイル端末又はモバイル端末を有するコンピュータであってもよい。例えば、その無線端末は、携帯用モバイル装置、ポケットサイズのモバイル装置、ハンドヘルドモバイル装置、コンピュータ内蔵型モバイル装置、又は車載型モバイル装置であってもよい。これらのモバイル装置は、無線アクセスネットワークとの間で音声及び/又はデータを交換する。その無線端末は、また、加入者ユニット(Subscriber  Unit)、加入者局(Subscriber  Station)、モバイル局(Mobile  Station)、リモート局(Remote  Station)、アクセスポイント(Access  Point)、リモート端末(Remote  Terminal)、アクセス端末(Access  Terminal)、ユーザ端末(User  Terminal)、ユーザエージェント(User  Agent)、又はユーザ機器(User  Equipment)と称されてもよい。このことは、本明細書においては限定されない。
【００６１】
本発明の複数の実施形態にしたがった基地局は、汎欧州ディジタル移動電話方式(Global  System  for  Mobile  Communications,  略称、GSM)又は符号分割多元接続(Code  Division  Multiple  Access,  略称、CDMA)にしたがった基地局装置(Base  Transceiver  Station,  略称、BTS)であってもよく、ワイドバンド符号分割多元接続(Wideband  Code  Division  Multiple  Access,  略称、WCDMA)にしたがったNodeB(NodeB,  略称、NB)であってもよく、LTEネットワークの中の進化型NodeB(evolved  NodeB,  略称、eNB)、アクセスポイント(access  point,  AP)、又は中継局であってもよく、或いは、次世代ネットワーク(すなわち、5Gネットワーク)の中の基地局等であってもよい。このことは、本明細書においては限定されない。
【００６２】
当業者は、ネットワークアーキテクチャの発展及び新たなアプリケーションシナリオの出現に伴って、本発明の複数の実施形態にしたがって提供される複数の技術的解決方法を同様の技術的問題に適用することが可能であるということを理解することが可能である。
【００６３】
最後に、上記の複数の実施形態は、本発明の複数の技術的解決方法を説明することを意図しているにすぎず、本発明を限定することを意図してはいないということに留意すべきである。本発明は、上記の複数の実施形態を参照して詳細に説明されているが、当業者であれば、本発明のそれらの複数の実施形態の複数の技術的解決方法の範囲から離れることなく、当業者が、さらに、上記の複数の実施形態にしたがって説明されたそれらの複数の技術的解決方法に修正を行い、或いは、それらの複数の実施形態の複数の技術的特徴の一部又はすべてに等価な置換を行うことが可能であるということを理解するはずである。
【図１】
2019524006.tif 000004
【図２】
2019524006.tif 000005
【図３】
2019524006.tif 000006
【図４】
2019524006.tif 000007
【図５】
2019524006.tif 000008
【図６】
2019524006.tif 000009
【図７】
2019524006.tif 000010
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
トランスポートブロック再送信方法であって、
閉ループ空間多重化送信方式にしたがって、基地局によってユーザ機器(UE)にトランスポートブロック(TB)を最初に送信するステップと、
前記TBの最初の送信が失敗した場合に、前記TBの始めのm回の再送信について、前記閉ループ空間多重化送信方式にしたがって、前記基地局によって前記TBを再送信するステップであって、mは、0以上の整数である、ステップと、
前記TBの最後のN−m回の再送信について、前記閉ループ空間多重化送信方式が属する送信モード(TM)に含まれる開ループ送信方式にしたがって、前記基地局によって前記TBを再送信するステップと、を含み、Nは、前記TBの再送信の最大数であり、Nは、1以上の整数である、
方法。
【請求項２】
前記TMがTM4である場合に、前記閉ループ空間多重化送信方式及び前記開ループ送信方式は、ダウンリンク制御情報(DCI)フォーマット2によってサポートされる送信方式である、請求項1に記載の方法。
【請求項３】
当該方法は、
前記基地局によって、前記TBの前記最初の送信が不連続送信(DTX)を使用し、前記始めのm回の再送信の理由がDTXであるということを決定するステップと、
前記TBの最後のN−m回の再送信について、前記閉ループ空間多重化送信方式にしたがって、前記基地局によって前記TBを再送信するステップと、をさらに含む、請求項2に記載の方法。
【請求項４】
前記TMがTM5である場合に、前記閉ループ空間多重化送信方式は、ダウンリンク制御情報(DCI)フォーマット1Dによってサポートされる送信方式であり、前記開ループ送信方式は、DCIフォーマット1Aによってサポートされる送信方式である、請求項1に記載の方法。
【請求項５】
前記TMがTM6である場合に、前記閉ループ空間多重化送信方式は、ダウンリンク制御情報(DCI)フォーマット1Bによってサポートされる送信方式であり、前記開ループ送信方式は、DCIフォーマット1Aによってサポートされる送信方式である、請求項1に記載の方法。
【請求項６】
前記TMがTM8である場合に、前記閉ループ空間多重化送信方式及び前記開ループ送信方式は、ダウンリンク制御情報(DCI)フォーマット2Bによってサポートされる送信方式である、請求項1に記載の方法。
【請求項７】
前記TMがTM9である場合に、前記閉ループ空間多重化送信方式及び前記開ループ送信方式は、ダウンリンク制御情報(DCI)フォーマット2Cによってサポートされる送信方式である、請求項1に記載の方法。
【請求項８】
前記TMがTM10である場合に、前記閉ループ空間多重化送信方式及び前記開ループ送信方式は、ダウンリンク制御情報(DCI)フォーマット2Dによってサポートされる送信方式である、請求項1に記載の方法。
【請求項９】
mの値は2である、請求項1乃至8のうちのいずれか1項に記載の方法。
【請求項１０】
請求項1乃至9のうちのいずれか1項に記載の方法を実行する少なくとも1つの機能ユニットを含む基地局。
【請求項１１】
コンピュータ読み取り可能な命令を含むコンピュータプログラムであって、前記コンピュータ読み取り可能な命令が基地局のプロセッサによって実行されると、前記コンピュータ読み取り可能な命令は、前記基地局に、トランスポートブロック再送信方法を実行させ、前記トランスポートブロック再送信方法は、
閉ループ空間多重化送信方式にしたがって、ユーザ機器(UE)にトランスポートブロック(TB)を最初に送信するステップと、
前記TBの最初の送信が失敗した場合に、前記TBの始めのm回の再送信について、前記閉ループ空間多重化送信方式にしたがって、前記TBを再送信するステップであって、mは、0以上の整数である、ステップと、
前記TBの最後のN−m回の再送信について、前記閉ループ空間多重化送信方式が属する送信モード(TM)に含まれる開ループ送信方式にしたがって、前記TBを再送信するステップと、を含み、Nは、前記TBの再送信の最大数であり、Nは、1以上の整数である、
コンピュータプログラム。
【手続補正２】
【補正対象書類名】明細書
【補正対象項目名】全文
【補正方法】変更
【補正の内容】
【発明の詳細な説明】
【技術分野】
【０００１】
本発明の複数の実施形態は、無線技術、特に、トランスポートブロック再送信方法及び基地局に関する。
【背景技術】
【０００２】
多入力多出力(Multiple-Input  Multiple-Output,  MIMO)技術は、それぞれ、送信端において複数の送信アンテナを使用し、受信端において複数の受信アンテナを使用することを可能にし、それぞれ、送信端において複数のアンテナを使用することによって信号を送信し、受信端において複数のアンテナを使用することによって信号を受信する。MIMO技術は、主に、あるチャネルの容量及び信頼性を改善するのに使用される。
【０００３】
複数の異なるMIMO送信モード(transmission  mode,  TM)が、ロングタームエボリューション(Long  Term  Evolution,  LTE)システムのために定義されている。基地局は、RRCシグナリングを使用することによって、現在の物理ダウンリンク共有チャネル(Physical  Downlink  Shared  Channel,  PDSCH)のために使用される送信モード及び関連する構成パラメータを端末に知らせて、その端末は、対応する信号処理及び受信を実行する。現在のところ、TM1からTM10までの合計で10個の送信モード(Transmission  Mode,  TM)が、LTEシステムのために定義されている。MIMO技術は、主に、空間多重化技術及び空間ダイバーシティ技術に分類される。空間多重化は、さらに、開ループ空間多重化及び閉ループ空間多重化に分類される。閉ループ空間多重化と開ループ空間多重化との間の主たる相違点は、閉ループ空間多重化においては、端末は、プリコーディング行列インジケータ(precoding  matrix  indicator,  PMI)情報をフィードバックする必要があるということにある。閉ループ空間多重化は、TM4、TM6、TM8、TM9、及びTM10にしたがって使用され、開ループ空間多重化は、TM3にしたがって使用される。データ送信のために閉ループ空間多重化を使用する場合には、誤ったPMIが報告される場合があり、その誤ったPMIは、残余ブロック誤り率の増加及びパケット損失率の増加等の一連の問題を引き起こす。結果として、ネットワークパフォーマンスは低下する。
【発明の概要】
【０００４】
本発明の複数の実施形態は、トランスポートブロック再送信方法及び基地局を提供して、残余ブロック誤り率及びパケット損失率を減少させるとともに、閉ループ利得を効果的に取得することが可能であるということを保証する。
【０００５】
本発明の第1の態様は、トランスポートブロック再送信方法であって、当該方法は、閉ループ空間多重化送信方式にしたがって、基地局によってユーザ機器(User  Equipment,  UE)にトランスポートブロック(transport  block,  TB)を最初に送信するステップと、前記TBの最初の送信が失敗した場合に、前記TBの始めのm回の再送信について、前記閉ループ空間多重化送信方式にしたがって、前記基地局によって前記TBを再送信するステップと、前記TBの最後のN−m回の再送信について、前記閉ループ空間多重化送信方式が属する送信モードTMに含まれる開ループ送信方式にしたがって、前記基地局によって前記TBを再送信するステップと、を含み、mは、0以上の整数であり、Nは、前記TBの再送信の最大数であり、Nは、1以上の整数である、トランスポートブロック再送信方法を提供する。
【０００６】
本発明の第2の態様は、処理モジュールとトランシーバーモジュールとを含む基地局であって、前記処理モジュールは、閉ループ空間多重化送信方式にしたがって、UEにトランスポートブロックTBを最初に送信するように前記トランシーバーモジュールを制御する、ように構成され、前記処理モジュールは、さらに、前記TBの最初の送信が失敗した場合に、前記TBの始めのm回の再送信について、前記閉ループ空間多重化送信方式にしたがって、前記TBを再送信するように前記トランシーバーモジュールを制御する、ように構成され、前記TBの最後のN−m回の再送信について、前記閉ループ空間多重化送信方式が属する送信モードTMに含まれる開ループ送信方式にしたがって、前記TBを再送信し、mは、0以上の整数であり、Nは、前記TBの再送信の最大数であり、Nは、1以上の整数である、基地局を提供する。
【０００７】
選択的に、前記TMがTM4である場合に、前記閉ループ空間多重化送信方式及び前記開ループ送信方式は、DCIフォーマット2によってサポートされる送信方式である。
【０００８】
選択的に、前記TMがTM5である場合に、前記閉ループ空間多重化送信方式は、DCIフォーマット1Dによってサポートされる送信方式であり、前記開ループ送信方式は、DCIフォーマット1Aによってサポートされる送信方式である。
【０００９】
選択的に、前記TMがTM6である場合に、前記閉ループ空間多重化送信方式は、DCIフォーマット1Bによってサポートされる送信方式であり、前記開ループ送信方式は、DCIフォーマット1Aによってサポートされる送信方式である。
【００１０】
選択的に、前記TMがTM8である場合に、前記閉ループ空間多重化送信方式及び前記開ループ送信方式は、DCIフォーマット2Bによってサポートされる送信方式である。
【００１１】
選択的に、前記TMがTM9である場合に、前記閉ループ空間多重化送信方式及び前記開ループ送信方式は、DCIフォーマット2Cによってサポートされる送信方式である。
【００１２】
選択的に、前記TMがTM10である場合に、前記閉ループ空間多重化送信方式及び前記開ループ送信方式は、DCIフォーマット2Dによってサポートされる送信方式である。
【００１３】
本発明の複数の実施形態にしたがって提供されるトランスポートブロック再送信方法及び基地局によれば、TBの始めのm回の再送信については、そのTBの最初の送信のために使用される閉ループ空間多重化送信方式を維持し、そのTBの最後のN−m回の再送信については、送信モードを変化しない状態に維持しつつ、送信方式を開ループ送信方式へと変化させる。開ループ送信方式にしたがってそのTBを再送信すると、データ送信の信頼性を改善し、そのTBの再送信の数を減少させ、残余ブロック誤り率及び音声パケット損失率を減少させ、そして、閉ループ利得を効果的に取得することが可能であるということを保証することが可能である。
【図面の簡単な説明】
【００１４】
本発明の複数の実施形態又は従来技術にしたがった複数の技術的解決方法をより明確に説明するために、以下の記載は、それらの複数の実施形態又は従来技術を説明するのに必要となる複数の添付の図面を簡潔に説明する。明らかなことではあるが、以下の説明の中の複数の添付の図面は、本発明の複数の実施形態のうちのいくつかを示し、当業者は、創造的な努力なくして、これらの複数の添付の図面から他の図面を導き出すことが可能である。
【００１５】
【図１】本発明の実施形態1にしたがったトランスポートブロック再送信方法である。
【図２】TM4にしたがったTB送信の概略図である。
【図３】TM5にしたがったTB送信の概略図である。
【図４】TM6にしたがったTB送信の概略図である。
【図５】TM8/TM9/TM10にしたがったTB送信の概略図である。
【図６】本発明の実施形態2にしたがった基地局の概略的な構成図である。
【図７】本発明の実施形態3にしたがった基地局の概略的な構成図である。
【発明を実施するための形態】
【００１６】
本発明の複数の実施形態の目的、技術的解決方法、及び利点をより明確にするために、以下の記載は、本発明の複数の実施形態にしたがった複数の添付の図面を参照して、本発明の複数の実施形態にしたがった複数の技術的解決方法をより明確に説明する。明らかなことではあるが、それらの説明される実施形態は、本発明の実施形態のすべてではなく一部である。創造的な努力なくして本発明の複数の実施形態に基づいて当業者が得ることが可能であるすべての他の実施形態は、本発明の保護範囲に属するものとする。
【００１７】
本発明の複数の実施形態にしたがった方法をMIMOシステムに適用する。MIMOシステムにおいては、送信端及び受信端において、それぞれ、複数の送信アンテナ及び複数の受信アンテナを使用する。送信端は、送信されるべきデータ信号を送信のために複数のアンテナにマッピングし、受信端は、複数のアンテナが受信した信号を処理する。MIMO技術は、主に、空間多重化技術及び空間ダイバーシティ技術の2つのタイプに分類される。空間多重化技術においては、ある空間的な次元の中の同じ時間周波数リソースによって複数の異なる信号を送信し、空間的な特徴を使用することによって、受信端においてそれらの複数の異なる信号を判別する。このことは、"マルチストリーム"送信を実装し、したがって、単位時間あたりの及び単位周波数あたりの送信レートを改善する。空間ダイバーシティ技術においては、同じ信号を送信するのに、複数のアンテナが提供する複数の異なる送信経路を使用し、主に、無線リンクの信頼性を改善するのに空間ダイバーシティ技術を使用する。空間多重化は、さらに、開ループ空間多重化(Open-loop  spatial  multiplexing)及び閉ループ空間多重化(Closed-loop  spatial  multiplexing)に分類される。空間ダイバーシティ技術においては、送信端において開ループ送信方式を使用する。開ループ送信方式は、送信ダイバーシティ(transmit  diversity)及び単一ポートの送信(single-antenna  port)を含む。
【００１８】
説明を容易にするため、以下の記載では、1つの例としてダウンリンクMIMOを使用する。基地局は、チャネル特性に基づいて複数の異なるTMを選択し、そのチャネル特性は、チャネルの受信信号品質及びそのチャネルの空間的な相関を含む。各々のTMは、異なるダウンリンク制御情報(Downlink  Control  Information,  DCI)フォーマットを使用し、複数の異なるDCIフォーマット(DCI  format)は、複数の異なる送信方式をサポートし、そして、同じDCIフォーマットは、1つのみの送信方式をサポートしてもよく、或いは、複数の送信方式をサポートしてもよい。
【００１９】
図1は、本発明の実施形態1にしたがったトランスポートブロック再送信方法である。図1に示されているように、この実施形態にしたがったその方法は、以下のステップを含んでもよい。
【００２０】
ステップ101:  基地局は、閉ループ空間多重化送信方式にしたがって、UEにTBを最初に送信する。
【００２１】
ステップ102:  TBの最初の送信が失敗した場合に、基地局は、そのTBの始めのm回の再送信について、閉ループ空間多重化送信方式にしたがって、そのTBを再送信し、mは、0以上の整数である。
【００２２】
ステップ103:  そのTBの最後のN−m回の再送信について、基地局は、閉ループ空間多重化送信方式が属するTMに含まれる開ループ送信方式にしたがって、そのTBを再送信し、Nは、そのTBの再送信の最大数であり、Nは、1以上の整数である。
【００２３】
これらには限定されないが、TM4、TM5、TM6、TM8、TM9、及びTM10を含む以下のTMにこの実施形態にしたがった方法を適用してもよい。表1は、各々のTMの関連する構成パラメータを列記しており、各々のTMのそれらのパラメータは、サポートされるDCIフォーマット及びサポートされる送信方式を含む。
【表１】
2019524006.tif 000011
【００２４】
表1から、閉ループ空間多重化送信方式は、TM4のDCIフォーマット2によってサポートされる閉ループ空間多重化送信方式、TM5のDCIフォーマット1Dによってサポートされる閉ループ空間多重化送信方式、TM6のDCIフォーマット1Bによってサポートされる閉ループ空間多重化送信方式、TM8のDCIフォーマット2Bによってサポートされる2つの層による送信(Dual  layer  transmission)、TM9のDCIフォーマット2Cによってサポートされる最大8つの層の送信、及びTN10のDCIフォーマット2Dによってサポートされる閉ループ空間多重化送信方式、を含むということを理解することが可能である。
【００２５】
閉ループ空間多重化送信方式を使用する目的は、チャネル容量を改善することである。閉ループ空間多重化送信方式は、通常、比較的良好なチャネル条件を有するシナリオに適用することが可能である。この実施形態においては、TBの始めのm回の再送信がすべて失敗した場合には、PMIビームが間違った方向を指向している可能性が極めて高い。この状況で、従来技術の方法を使用する場合には、そのTBは、そのTBの最後のN−m回の再送信についても、依然として、閉ループ空間多重化送信方式にしたがって再送信され、そのTBの再送信の失敗の確率は、依然として、極めて高いままである。結果として、再送信の失敗が複数回にわたる場合には、より大きな残余ブロック誤り率及びより大きなパケット損失率を引き起こす。その残余ブロック誤り率は、ある測定期間においてTBブロックのダウンリンク再送信が失敗したTBブロックの割合を示すのに使用される。ある1つの特定の計算式は、(残余ブロック誤り率)＝(ダウンリンクTBブロックのうちで残余ブロック誤りを有するパケットの合計数)/(ダウンリンクTBブロックの合計数)となる。
【００２６】
この実施形態においては、基地局は、そのTBの最後のN−m回の再送信について、開ループ送信方式にしたがってそのTBを再送信する。その開ループ送信方式は、基地局がそのTBの最初の送信のために使用した閉ループ空間多重化送信方式が属している送信モードTMに含まれる送信方式である。そのTBの最後のN−m回の再送信について開ループ送信方式を使用すると、そのTBの送信の信頼性を改善し、送信の成功確率を増加させ、そして、再送信の数を減少させることが可能となる。
【００２７】
具体的には、TM4の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、TM4のDCIフォーマット2によってサポートされる送信方式であってもよく、或いは、TM4のDCIフォーマット1Aによってサポートされる送信方式であってもよい。その開ループ送信方式が、DCIフォーマット2によってサポートされる送信ダイバーシティ方式である場合には、そのTBの最後のN−m回の再送信の間、TM及びDCIフォーマットの双方が、変化しない状態に維持される。TM及びDCIフォーマットの双方が変化しない状態に維持されるので、TMの切り替えが引き起こすシグナリングオーバーヘッド及び遅延の問題を低減し、そして、閉ループ利得の効率的な取得を保証することが可能である。開ループ送信方式が、DCIフォーマット1Aによってサポートされる送信ダイバーシティ方式である場合には、そのTBの最後のN−m回の再送信について、TMは、変化しない状態に維持されるが、一方で、DCIフォーマットを修正する必要があり、DCIフォーマット2からDCIフォーマット1AへとそのDCIフォーマットを変化させる。TMを修正することによって送信方式を変化させる場合と比較して、TMが同じ状況で、DCIフォーマットを修正することによって送信方式を変化させる場合には、TMの切り替えが引き起こすシグナリングオーバーヘッド及び遅延の問題を低減し、閉ループ利得の効率的な取得を保証することが可能である。
【００２８】
図2は、TM4にしたがったTB送信の概略図である、図2に示されている1つの例において、mの値は2であり、具体的には、TBの始めの2回の再送信について、閉ループ空間多重化送信方式を使用し、3番目の再送信から最後の再送信まで、DCIフォーマット2によってサポートされる送信ダイバーシティ方式を使用し、そのDCIフォーマットは、再送信プロセスにおいて、変化しない状態に維持される。再送信の最大数Nの値は、8であってもよく、或いは、8よりも小さな整数であってよく、基地局は、必要に応じて、再送信の最大数の値を構成してもよい。通常は、再送信の最大数の値は4である。再送信の最大数が4である場合に、mの値は、好ましくは2である。
【００２９】
TM4の場合に、TBの再送信の原因は、ハイブリッド自動再送要求(hybrid  automatic  repeat  request,  HARQ)メカニズムであってもよく、或いは、不連続送信(discontinuous  transmission,  DTX)メカニズムであってもよい。HARQメカニズムについて、UEが、最初に送信されたTBの正確な受信に失敗した場合に、そのUEは、基地局に否定応答NACKをフィードバックし、その基地局は、NACKを受信した後に、そのTBを再送信する。再送信されたTBについて、UEは、依然として、そのTBの正確な受信に失敗する場合があり、そのUEは、その基地局への否定応答NACKのフィードバックを継続し、そして、その基地局は、再送信の最大数Nに達するまで、そのTBの再送信を継続する。DTXについて、そのUEがDTXを使用する場合には、エネルギー節約状態にあるそのUEは、適時的な方法で起動することが不可能であるので、同様にして、そのUEは、基地局が送信したTBを正確に受信することはできず、その結果、基地局が、そのTBを再送信する可能性がある。この実施形態においては、HARQ又はDTXが原因となってTBの再送信の失敗が引き起こされたか否かにかかわらず、基地局は、そのTBの始めのm回の再送信のすべてについて、閉ループ空間多重化送信方式を使用して、そのTBを再送信してもよい。具体的には、そのTBの始めのm回の再送信のための送信方式は、そのTBの最初の送信に使用した送信方式と同じ送信方式のままであってもよい。選択的に、基地局は、さらに、そのTBの始めのm回の再送信の原因を決定してもよい。基地局が、そのTBの最初の送信のためにDTXが使用され、DTXが始めのm回の再送信の原因となっているということを決定する場合に、その基地局は、そのTBの最後のN−m回の再送信について、依然として、閉ループ空間多重化送信方式にしたがってそのTBを再送信する、すなわち、そのTBの最後のN−m回の再送信のための送信方式は、そのTBの最初の送信に使用した送信方式と同じ送信方式のままである。
【００３０】
TM5の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、DCIフォーマット1Aによってサポートされる送信方式であってもよい。その開ループ送信方式が、DCIフォーマット1Aによってサポートされる送信ダイバーシティ方式である場合には、そのTBの最後のN−m回の再送信について、TMは、変化しない状態に維持されるが、一方で、DCIフォーマットを修正する必要があり、DCIフォーマット1DからDCIフォーマット1AへとそのDCIフォーマットを変化させる。TMを修正することによって送信方式を変化させる場合と比較して、TMが同じ状況で、DCIフォーマットを修正することによって送信方式を変化させる場合には、TMの切り替えが引き起こすシグナリングオーバーヘッド及び遅延の問題を低減し、閉ループ利得の効率的な取得を保証することが可能である。
【００３１】
図3は、TM5にしたがったTBの送信の概略図である。そのTBの始めの2回の再送信のために閉ループ空間多重化送信方式を使用し、DCIフォーマットは、DCIフォーマット1Dである。3番目の再送信から最後の再送信まで送信ダイバーシティ方式を使用し、その3番目の再送信から、DCIフォーマットをDCIフォーマット1Aへと変化させる。
【００３２】
TM6の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、TM6のDCIフォーマット1Aによってサポートされる送信ダイバーシティ方式であってもよい。そのTBの最後のN−m回の再送信について、TMは、変化しない状態に維持されるが、一方で、DCIフォーマットを修正する必要があり、DCIフォーマット1BからDCIフォーマット1AへとそのDCIフォーマットを変化させる。TMを修正することによって送信方式を変化させる場合と比較して、TMが同じ状況で、DCIフォーマットを修正することによって送信方式を変化させる場合には、TMの切り替えが引き起こすシグナリングオーバーヘッド及び遅延の問題を低減し、閉ループ利得の効率的な取得を保証することが可能である。
【００３３】
図4は、TM6にしたがったTBの送信の概略図である。そのTBの始めの2回の再送信のために閉ループ空間多重化送信方式を使用し、DCIフォーマットは、DCIフォーマット1Bである。3番目の再送信から最後の再送信まで送信ダイバーシティ方式を使用し、その3番目の再送信から、DCIフォーマットをDCIフォーマット1Aへと変化させる。
【００３４】
TM8の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、TM8のDCIフォーマット2Bによってサポートされる送信方式であってもよく、或いは、TM8のDCIフォーマット1Aによってサポートされる送信方式であってもよい。その開ループ送信方式が、DCIフォーマット2Bによってサポートされる単一ポートの送信方式である場合には、そのTBの最後のN−m回の再送信の間、TM及びDCIフォーマットの双方が、変化しない状態に維持される。TM及びDCIフォーマットの双方が変化しない状態に維持されるので、TMの切り替えが引き起こすシグナリングオーバーヘッド及び遅延の問題を低減し、そして、閉ループ利得の効率的な取得を保証することが可能である。DCIフォーマット2Bによってサポートされる単一ポートの送信方式にしたがった送信のために、ポート7及びポート8を使用する。選択的に、開ループ送信方式が、DCIフォーマット1Aによってサポートされる単一ポートの送信方式又は送信ダイバーシティ方式である場合には、そのTBの最後のN−m回の再送信について、TMは、変化しない状態に維持されるが、一方で、DCIフォーマットを修正する必要があり、DCIフォーマット2BからDCIフォーマット1AへとそのDCIフォーマットを変化させる。具体的には、物理ブロードキャストチャネル(Physical  Broadcast  Channel,  PBCH)の数が1である場合には、DCIフォーマット1Aによってサポートされる単一ポートの送信方式を使用し、送信のために、ポート0を使用する。他の場合には、DCIフォーマット1Aによってサポートされる送信ダイバーシティ方式を使用する。TMを修正することによって送信方式を変化させる場合と比較して、TMが同じ状況で、DCIフォーマットを修正することによって送信方式を変化させる場合には、TMの切り替えが引き起こすシグナリングオーバーヘッド及び遅延の問題を低減し、閉ループ利得の効率的な取得を保証することが可能である。
【００３５】
TM9の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、DCIフォーマット2Cによってサポートされる送信方式であってもよく、或いは、DCIフォーマット1Aによってサポートされる単一ポートの送信方式又は送信ダイバーシティ方式であってもよい。その開ループ送信方式が、DCIフォーマット2Cによってサポートされる単一ポートの送信方式である場合には、そのTBの最後のN−m回の再送信の間、TM及びDCIフォーマットの双方が、変化しない状態に維持される。TM及びDCIフォーマットの双方が変化しない状態に維持されるので、TMの切り替えが引き起こすシグナリングオーバーヘッド及び遅延の問題を低減し、そして、閉ループ利得の効率的な取得を保証することが可能である。DCIフォーマット2Cによってサポートされる単一ポートの送信方式にしたがった送信のために、ポート7及びポート8を使用する。その開ループ送信方式が、DCIフォーマット1Aによってサポートされる単一ポートの送信方式又は送信ダイバーシティ方式である場合には、そのTBの最後のN−m回の再送信について、TMは、変化しない状態に維持されるが、一方で、DCIフォーマットを修正する必要があり、DCIフォーマット2CからDCIフォーマット1AへとそのDCIフォーマットを変化させる。具体的には、非MBSFNサブフレームの場合に、PBCHの数が1である場合には、DCIフォーマット1Aによってサポートされる単一ポートの送信方式を使用し、送信のために、ポート0を使用する。他の場合には、DCIフォーマット1Aによってサポートされる送信ダイバーシティ方式を使用する。MBSFNサブフレームの場合に、DCIフォーマット1Aによってサポートされる単一ポートの送信方式にしたがった送信のためにポート7及びポート8を使用する。TMを修正することによって送信方式を変化させる場合と比較して、TMが同じ状況で、DCIフォーマットを修正することによって送信方式を変化させる場合には、TMの切り替えが引き起こすシグナリングオーバーヘッド及び遅延の問題を低減し、閉ループ利得の効率的な取得を保証することが可能である。
【００３６】
TM10の場合に、基地局は、閉ループ空間多重化送信方式にしたがって、UEにTBを最初に送信し、そのTBの最初の送信が失敗した場合に、基地局は、始めのm回の再送信について、依然として、閉ループ空間多重化送信方式にしたがって、そのTBを再送信し、そして、基地局は、最後のN−m回の再送信について、開ループ送信方式にしたがって、そのTBを再送信する。その開ループ送信方式は、DCIフォーマット2Dによってサポートされる送信方式であってもよく、或いは、DCIフォーマット1Aによってサポートされる単一ポートの送信方式又は送信ダイバーシティ方式であってもよい。その開ループ送信方式が、DCIフォーマット2Dによってサポートされる単一ポートの送信方式である場合には、そのTBの最後のN−m回の再送信の間、TM及びDCIフォーマットの双方が、変化しない状態に維持される。TM及びDCIフォーマットの双方が変化しない状態に維持されるので、TMの切り替えが引き起こすシグナリングオーバーヘッド及び遅延の問題を低減し、そして、閉ループ利得の効率的な取得を保証することが可能である。DCIフォーマット2Dによってサポートされる単一ポートの送信方式にしたがった送信のために、ポート7及びポート8を使用する。その開ループ送信方式が、DCIフォーマット1Aによってサポートされる単一ポートの送信方式又は送信ダイバーシティ方式である場合には、そのTBの最後のN−m回の再送信について、TMは、変化しない状態に維持されるが、一方で、DCIフォーマットを修正する必要があり、DCIフォーマット2DからDCIフォーマット1AへとそのDCIフォーマットを変化させる。具体的には、非MBSFNサブフレームの場合に、PBCHの数が1である場合には、DCIフォーマット1Aによってサポートされる単一ポートの送信方式を使用し、送信のために、ポート0を使用する。他の場合には、DCIフォーマット1Aによってサポートされる送信ダイバーシティ方式を使用する。MBSFNサブフレームの場合に、DCIフォーマット1Aによってサポートされる単一ポートの送信方式にしたがった送信のためにポート7及びポート8を使用する。TMが変化しない状態に維持されるので、閉ループ利得の効率的な取得を保証することが可能である。
【００３７】
図5は、TM8/TM9/TN10にしたがったTB送信の概略図である。TM8/TM9/TM10においては、TBの始めの2回の再送信のために閉ループ空間多重化送信方式を使用し、3番目の再送信から最後の再送信まで単一ポートの送信方式を使用し、DCIフォーマットは、再送信プロセスの過程で変化しない状態に維持される。
【００３８】
この実施形態にしたがって提供される方法によれば、TBの始めのm回の再送信については、そのTBの最初の送信のために使用される閉ループ空間多重化送信方式を維持し、そのTBの最後のN−m回の再送信については、送信モードを変化しない状態に維持しつつ、送信方式を開ループ送信方式へと変化させる。開ループ送信方式にしたがってそのTBを再送信すると、データ送信の信頼性を改善し、そのTBの再送信の数を減少させ、残余ブロック誤り率及び音声パケット損失率を減少させることが可能である。加えて、送信モードは変化せず、それにより、閉ループ利得を効果的に取得することが可能であるということを保証する。
【００３９】
図6は、本発明の実施形態2にしたがった基地局の概略的な構成図である。図6に示されているように、この実施形態にしたがって提供される基地局は、処理モジュール11とトランシーバーモジュール12とを含む。
【００４０】
処理モジュール11は、閉ループ空間多重化送信方式にしたがって、UEにTBを最初に送信するようにトランシーバーモジュール12を制御する、ように構成される。
【００４１】
処理モジュール11は、さらに、TBの最初の送信が失敗した場合に、そのTBの始めのm回の再送信について、閉ループ空間多重化送信方式にしたがって、そのTBを再送信するようにトランシーバーモジュール12を制御し、そして、そのTBの最後のN−m回の再送信について、閉ループ空間多重化送信方式が属する送信モードTMに含まれる開ループ送信方式にしたがって、そのTBを再送信する、ように構成され、Nは、TBの再送信の最大数であり、mは、0以上の整数であり、Nは、1以上の整数である。選択的に、mの値は、2である。
【００４２】
選択的に、TMがTM4である場合に、閉ループ空間多重化送信方式及び開ループ送信方式は、DCIフォーマット2によってサポートされる送信方式である。選択的に、処理モジュール11は、さらに、TBの最初の送信がDTXを使用し、始めのm回の再送信の理由がDTXであるということを決定し、そして、TBの最後のN−m回の再送信について、閉ループ空間多重化送信方式にしたがってTBを再送信するようにトランシーバーモジュール12を制御する、ように構成される。
【００４３】
選択的に、TMがTM5である場合に、閉ループ空間多重化送信方式は、DCIフォーマット1Dによってサポートされる送信方式であり、開ループ送信方式は、DCIフォーマット1Aによってサポートされる送信方式である。
【００４４】
選択的に、TMがTM6である場合に、閉ループ空間多重化送信方式は、DCIフォーマット1Bによってサポートされる送信方式であり、開ループ送信方式は、DCIフォーマット1Aによってサポートされる送信方式である。
【００４５】
選択的に、TMがTM8である場合に、閉ループ空間多重化送信方式及び開ループ送信方式は、DCIフォーマット2Bによってサポートされる送信方式である。
【００４６】
選択的に、TMがTM9である場合に、閉ループ空間多重化送信方式及び開ループ送信方式は、DCIフォーマット2Cによってサポートされる送信方式である。
【００４７】
選択的に、TMがTM10である場合に、閉ループ空間多重化送信方式及び開ループ送信方式は、DCIフォーマット2Dによってサポートされる送信方式である。
【００４８】
この実施形態にしたがった基地局によれば、その基地局の複数の機能モジュールは、上記の実施形態1にしたがった方法を実装するように構成されてもよい。その基地局の特定の実装及び技術的効果は同様であり、本明細書においては、詳細は繰り返して説明されない。
【００４９】
図7は、本発明の実施形態3にしたがった基地局の概略的な構成図である。図7に示されているように、この実施形態にしたがって提供される基地局は、プロセッサ21とトランシーバー22とを含む。プロセッサ21及びトランシーバー22は、バスを使用することによって接続される。
【００５０】
プロセッサ21は、閉ループ空間多重化送信方式にしたがって、UEにTBを最初に送信するようにトランシーバー22を制御する、ように構成される。
【００５１】
プロセッサ21は、さらに、TBの最初の送信が失敗した場合に、そのTBの始めのm回の再送信について、閉ループ空間多重化送信方式にしたがって、TBを再送信するようにトランシーバー22を制御し、そして、そのTBの最後のN−m回の再送信について、閉ループ空間多重化送信方式が属するTMに含まれる開ループ送信方式にしたがって、そのTBを再送信する、ように構成され、Nは、そのTBの再送信の最大数であり、Nは、1以上の整数であり、mは、0以上の整数である。選択的に、mの値は2である。
【００５２】
選択的に、TMがTM4である場合に、閉ループ空間多重化送信方式及び開ループ送信方式は、DCIフォーマット2によってサポートされる送信方式である。選択的に、プロセッサ21は、さらに、TBの最初の送信が不連続送信DTXを使用し、始めのm回の再送信の理由がDTXであるということを決定し、そして、そのTBの最後のN−m回の再送信について、閉ループ空間多重化送信方式にしたがってTBを再送信するようにトランシーバー22を制御する、ように構成される。
【００５３】
選択的に、TMがTM5である場合に、閉ループ空間多重化送信方式は、DCIフォーマット1Dによってサポートされる送信方式であり、開ループ送信方式は、DCIフォーマット1Aによってサポートされる送信方式である。
【００５４】
選択的に、TMがTM6である場合に、閉ループ空間多重化送信方式は、DCIフォーマット1Bによってサポートされる送信方式であり、開ループ送信方式は、DCIフォーマット1Aによってサポートされる送信方式である。
【００５５】
選択的に、TMがTM8である場合に、閉ループ空間多重化送信方式及び開ループ送信方式は、DCIフォーマット2Bによってサポートされる送信方式である。
【００５６】
選択的に、TMがTM9である場合に、閉ループ空間多重化送信方式及び開ループ送信方式は、DCIフォーマット2Cによってサポートされる送信方式である。
【００５７】
選択的に、TMがTM10である場合に、閉ループ空間多重化送信方式及び開ループ送信方式は、DCIフォーマット2Dによってサポートされる送信方式である。
【００５８】
この実施形態にしたがった基地局は、実施形態1にしたがった方法を実行するように構成されてもよい。その基地局の特定の実装及び技術的効果は同様であり、本明細書においては、詳細は繰り返して説明されない。
【００５９】
上記の複数の実施形態は、1つの例としてダウンリンクMIMOを使用することによって説明されている。本発明の複数の解決方法をアップリンクMIMOにも適用してもよい。具体的には、基地局にあるTBを送る際に、UEは、上記の複数の実施形態にしたがった方法を使用することによってそのTBを再送信してもよい。その特定の実装及び技術的効果は同様であり、本明細書においては、詳細は繰り返して説明されない。
【００６０】
加えて、本発明の複数の実施形態にしたがったユーザ機器は、無線端末であってもよい。その無線端末は、ユーザに音声及び/又はデータの接続性を提供するデバイス、無線接続機能を有するハンドヘルドデバイス、又は無線モデムに接続される他の処理デバイスであってもよい。その無線端末は、無線アクセスネットワーク(Radio  Access  Network,  RAN)を使用することによって、少なくとも1つのコアネットワークとの間で通信してもよい。その無線端末は、例えば、("セルラ"フォンとも称される)モバイル電話等のモバイル端末又はモバイル端末を有するコンピュータであってもよい。例えば、その無線端末は、携帯用モバイル装置、ポケットサイズのモバイル装置、ハンドヘルドモバイル装置、コンピュータ内蔵型モバイル装置、又は車載型モバイル装置であってもよい。これらのモバイル装置は、無線アクセスネットワークとの間で音声及び/又はデータを交換する。その無線端末は、また、加入者ユニット(Subscriber  Unit)、加入者局(Subscriber  Station)、モバイル局(Mobile  Station)、リモート局(Remote  Station)、アクセスポイント(Access  Point)、リモート端末(Remote  Terminal)、アクセス端末(Access  Terminal)、ユーザ端末(User  Terminal)、ユーザエージェント(User  Agent)、又はユーザ機器(User  Equipment)と称されてもよい。このことは、本明細書においては限定されない。
【００６１】
本発明の複数の実施形態にしたがった基地局は、汎欧州ディジタル移動電話方式(Global  System  for  Mobile  Communications,  GSM)又は符号分割多元接続(Code  Division  Multiple  Access,  CDMA)にしたがった基地局装置(Base  Transceiver  Station,  BTS)であってもよく、ワイドバンド符号分割多元接続(Wideband  Code  Division  Multiple  Access,  WCDMA)にしたがったNodeB(NodeB,  NB)であってもよく、LTEネットワークの中の進化型NodeB(evolved  NodeB,  eNB)、アクセスポイント(access  point,  AP)、又は中継局であってもよく、或いは、次世代ネットワーク(すなわち、5Gネットワーク)の中の基地局等であってもよい。このことは、本明細書においては限定されない。
【００６２】
当業者は、ネットワークアーキテクチャの発展及び新たなアプリケーションシナリオの出現に伴って、本発明の複数の実施形態にしたがって提供される複数の技術的解決方法を同様の技術的問題に適用することが可能であるということを理解することが可能である。
【００６３】
最後に、上記の複数の実施形態は、本発明の複数の技術的解決方法を説明することを意図しているにすぎず、本発明を限定することを意図してはいないということに留意すべきである。本発明は、上記の複数の実施形態を参照して詳細に説明されているが、当業者であれば、本発明のそれらの複数の実施形態の複数の技術的解決方法の範囲から離れることなく、当業者が、さらに、上記の複数の実施形態にしたがって説明されたそれらの複数の技術的解決方法に修正を行い、或いは、それらの複数の実施形態の複数の技術的特徴の一部又はすべてに等価な置換を行うことが可能であるということを理解するはずである。
【国際調査報告】
2019524006.tif 000012
2019524006.tif 000013
2019524006.tif 000014
2019524006.tif 000015